(57)【要約】【課題】磁性細線を用いて動画像を３Ｄ表示することができる空間光変調器を提供する。【解決手段】３Ｄ表示用の右目用画像を書込む（所定の磁化方向への変更）磁性細線１Ａ１，…，１Ａ４と、左目用画像を書込む磁性細線１Ｂ１，…，１Ｂ４と、が磁性細線の幅方向に交互に出現する。各磁性細線への右目用画像の書込と、左目用画像の書込を各１フレーム分同時に行う。そして、両者の書込が終わったら、遮蔽板１１１をＹ方向に駆動することにより、まず、右目用画像の１フレームの画像を表示し、その後、左目用画像の１フレームの画像を表示する。【選択図】図１
2014240860.tif 000002
【特許請求の範囲】
【請求項１】
磁性膜を細線状に形成してなり複数の画素を細線方向に一列に配列して備える磁性細線を、細線方向と直交する直交方向に複数配列して備えている画素アレイと、
前記画素アレイの画素のそれぞれを画像データのうち当該画素に入力された画素データに基づき異なる２つの磁化方向の何れかにする画素駆動部と、を備え、
前記画素駆動部は、前記磁性細線を予め指定された位置に設けられた書込領域において所定の磁化方向にする書込部と、
前記磁性細線のそれぞれに、当該磁性細線に形成された磁区を細線方向に断続的に移動させるパルス電流を供給する電流供給部と、
３Ｄ画像表示のための右目用の画像データと左目用の画像データとをそれぞれ受信する画像データ受信部と、
この受信した右目用の画像データと左目用の画像データとが前記磁性細線の直交方向に交互に配されるよう、当該画像データを前記磁性細線に割り振るように分割する分割部と、
前記磁性細線に供給されるパルス電流における電流停止時に、前記書込部を制御して前記磁性細線を前記書込領域において前記分割後の画像データのうち所定の画素に対して入力された画素データに基づく磁化方向にするとともに、前記電流供給部を制御して前記書込領域に形成された磁区を前記細線方向における前記所定の画素に到達させるようにする制御部と、を備えていることを特徴とする空間光変調器。
【請求項２】
１列おきに各列の前記磁性細線の画素から出射する光以外を遮光する遮光装置と、
１列おきに各列の前記磁性細線から光を順次出射せるように前記遮光装置を２段階に切り替える切替部と、
前記切替部による２段階の切り替えのタイミングに合わせた同期信号を出力する同期信号出力部と、を備えていることを特徴とする請求項１に記載の空間光変調器。
【請求項３】
前記遮光装置は、前記画素アレイ上に設けられ、前記磁性細線の配列方向に複数本のスリットが形成されている遮光板と、
前記遮光板を前記磁性細線の前記直交方向に移動することにより、１列おきに前記各列の画素から出射する光以外を前記遮光板で遮光する遮光板駆動部と、を備えていることを特徴とする請求項２に記載の空間光変調器。
【請求項４】
前記遮光板駆動部は、前記遮光板を前記磁性細線の配列方向に動かすピエゾ素子であることを特徴とする請求項３に記載の空間光変調器。
【発明の詳細な説明】
【技術分野】
【０００１】
本発明は、入射した光を磁気光学効果により光の位相や振幅等を空間的に変調して出射する空間光変調器に関する。
【背景技術】
【０００２】
空間光変調器は、画素として光学素子（光変調素子）を用い、これをマトリクス状に２次元配列して光の位相や振幅等を空間的に変調する装置であって、ディスプレイ技術や記録技術等の分野で広く利用されている。空間光変調器として、従来から液晶が用いられているが、近年では、高速処理かつ画素の１μｍ以下の微細化の可能性が期待される磁気光学材料を用いた磁気光学式の空間光変調器の開発が進められている。
【０００３】
磁気光学式の空間光変調器（以下、単に「空間光変調器」という）においては、磁性体に入射した光が透過する際にその偏光の向きを変化（旋光）させて出射するファラデー効果を利用している。また、入射した光が反射する際にその偏光の向きを変化（旋光）させて出射するカー効果を利用している。そして、磁性体の中でも特に効果の大きい磁気光学材料を使用している。例えば明るく表示しようとする画素（選択画素）における光変調素子の磁化方向とそれ以外の画素（非選択画素）における光変調素子の磁化方向を異なるものにする。これにより、選択画素から出射した光と非選択画素から出射した光で、その偏光の回転角（旋光角）に差を生じさせ、特定の向きの偏光を透過する偏光子を介することで、選択画素のみを明るく表示する。このような光変調素子の磁化方向を変化させる手段として、光変調素子に磁界を印加する磁界印加方式の他に、近年では光変調素子に電流を供給することでスピンを注入するスピン注入方式が知られている。
【０００４】
ところで、本出願人は、このような空間光変調器として特許文献１の技術を提案している。すなわち、特許文献１においては、磁性細線における磁壁の移動速度が数十ｍ／ｓ〜２５０ｍ／ｓ程度と高速であることから、空間光変調器の１行における光変調素子を連続した１本の磁性細線で構成している。そして、当該１行におけるすべての画素のデータを当該磁性細線において１画素ずつ順番に書き換えるようにした技術を提案している。
【０００５】
より具体的には、この空間光変調器は、細線方向に単位長さで区切られた領域を画素として必要数の画素を細線方向に連続して設けた磁性細線を、複数並べて設けることで画素アレイを形成している。また、各磁性細線の例えば一端側に設けられたデータ書込部、及び各磁性細線の両端間に接続された走査電流源をさらに備えている。各磁性細線は画素が設けられた領域である画素領域の他に、細線方向に区切られた細線方向の一端側に書込領域が設けられている。そして、データ書込部により当該書込領域を目標とする画素における磁化方向に変化させて形成した磁区は、走査電流源が磁性細線に細線方向に直流パルス電流を供給する。これにより、当該磁区を区切る磁壁と共に細線方向に沿って移動して、前記の目標とする画素に到達させることができる。
【先行技術文献】
【特許文献】
【０００６】
【特許文献１】特開２０１２−１２８３９６号公報
【発明の概要】
【発明が解決しようとする課題】
【０００７】
しかしながら、特許文献１の技術のように磁性細線を用いて画像を表示する技術において、動画像を３Ｄ表示することを可能とする手段については提案されていなかった。
そこで、本発明は、磁性細線を用いて動画像を３Ｄ表示することができる空間光変調器を提供することを課題とする。
【課題を解決するための手段】
【０００８】
上記課題を解決するため、本発明の空間光変調器は、磁性膜を細線状に形成してなり複数の画素を細線方向に一列に配列して備える磁性細線を、細線方向と直交する直交方向に複数配列して備えている画素アレイと、前記画素アレイの画素のそれぞれを画像データのうち当該画素に入力された画素データに基づき異なる２つの磁化方向の何れかにする画素駆動部と、を備え、前記画素駆動部は、書込部と、電流供給部と、画像データ受信部と、分割部と、制御部と、を備えて構成した。
【０００９】
かかる構成によれば、画素駆動部は、書込部において、磁性細線を予め指定された位置に設けられた書込領域において所定の磁化方向にする。また、電流供給部において、磁性細線のそれぞれに、当該磁性細線に形成された磁区を細線方向に断続的に移動させるパルス電流を供給する。さらに、画像データ受信部において、３Ｄ画像表示のための右目用の画像データと左目用の画像データとをそれぞれ受信する。その上、分割部において、この受信した右目用の画像データと左目用の画像データとが磁性細線の直交方向に交互に配されるよう、当該画像データを磁性細線に割り振るように分割する。また、制御部において、磁性細線に供給されるパルス電流における電流停止時に、書込部を制御して磁性細線を書込領域において分割後の画像データのうち所定の画素に対して入力された画素データに基づく磁化方向にするとともに、電流供給部を制御して書込領域に形成された磁区を細線方向における所定の画素に到達させるようにする。
よって、空間光変調器は、画素アレイに右目用の画像データと左目用の画像データとを表示することができるので、磁性細線を用いて動画像を３Ｄ表示することができる。
【００１０】
前記の構成において、１列おきに前記磁性細線の画素から出射する光以外を遮光する遮光装置と、１列おきに前記磁性細線から光を順次出射せるように前記遮光装置を２段階に切り替える切替部と、前記切替部による２段階の切り替えのタイミングに合わせた同期信号を出力する同期信号出力部と、を備えるようにしてもよい。
かかる構成によれば、画素アレイに右目用の画像と左目用の画像とを交互に表示し、同期信号で３Ｄ表示用のメガネ等を駆動して、右目では右目用の画像のみを見て、左目では左目用の画像のみを見ることを可能にして、動画像を３Ｄ表示することができる。
【００１１】
前記の構成において、前記遮光装置は、前記画素アレイ上に設けられ、前記磁性細線の並列方向に複数本のスリットが交互に形成されている遮光板と、前記遮光板を前記磁性細線の並列方向に当該並列方向に移動することにより、１列おきに前記各列の画素から出射する光以外を前記遮蔽部で遮光する遮光板駆動部と、を備えるようにしてもよい。
かかる構成によれば、遮光板の磁性細線の配列方向の動きにより、右目用の画像、左目用の画像を順次表示することができる。
【００１２】
前記の構成において、前記遮光板駆動部は、前記遮光板を前記磁性細線の並列方向に動かすピエゾ素子としてもよい。
かかる構成によれば、ピエゾ素子を用いることにより、遮光板を高速で微細に駆動することができる。
【発明の効果】
【００１３】
本発明によれば、磁性細線を用いて動画像を３Ｄ表示することができる空間光変調器を提供することができる。
【図面の簡単な説明】
【００１４】
【図１】本発明の一実施形態に係る空間光変調器の光変調部、遮光装置の説明図である。
【図２】本発明の一実施形態に係る空間光変調器の遮光装置の説明図である。
【図３】本発明の一実施の形態に係る空間光変調器の磁性細線の配列を説明する説明図である。
【図４】本発明の一実施の形態に係る空間光変調器の構成を説明する磁性細線の斜視図である。
【図５】本発明の一実施形態に係る空間光変調器の光変調部の平面図である。
【図６】本発明の一実施形態に係る空間光変調器の駆動系を説明するブロック図である。
【図７】本発明の一実施形態に係る空間光変調器の画素列データ生成部を説明するブロック図である。
【図８】本発明の一実施形態に係る空間光変調器を用いた画像表示装置の構成を説明する模式図である。
【図９】本発明の一実施形態に係る空間光変調器の制御系の電気的な接続のブロック図である。
【図１０】本発明の一実施形態に係る空間光変調器の駆動方法を説明するフローチャートである。
【図１１】本発明の一実施形態に係る空間光変調器で表示する画像（ａ）、画像データ（ｂ）の説明図である。
【図１２】本発明の一実施形態に係る空間光変調器で表示する画像（ａ）、画像データ（ｂ）の説明図である。
【図１３】本発明の一実施形態に係る空間光変調器で表示する画像の表示例を示す説明図である。
【図１４】図１０のステップＳ１２０，Ｓ１３０のサブルーチンのフローチャートである。
【図１５】本発明の一実施形態に係る空間光変調器の駆動方法を説明するタイミングチャートであり、（ａ）は本実施形態の場合、（ｂ）は本実施形態の他の例の場合、（ｃ）は遮光板の駆動のタイミング、（ｄ）は同期信号Ａ、（ｅ）は同期信号Ｂである。
【発明を実施するための形態】
【００１５】
以下、本発明の実施形態について図面を用いて説明する。図１以下の図面に適宜入れられたＸＹＺ方向の図示は、各図において対応している。なお、Ｘ方向は後述の磁性細線１の行方向、Ｙ方向は磁性細線１の列方向、Ｚ方向は後述の基板２の面に対して垂直な方向である。
【００１６】
（空間光変調器の構成の概要）
図１に示すように、本実施形態の空間光変調器１０は、光変調部２０、遮光装置１１０、画素駆動部（図６）を備えている。
光変調部２０は、基板２を備え、基板２上には、本例で８本の磁性細線１（１Ａ１，１Ｂ１，１Ａ２，１Ｂ２，１Ａ３，１Ｂ３，１Ａ４，１Ｂ４）が設けられている。各磁性細線１は、磁性膜を細線状に形成してなり、それぞれが予め指定された位置に複数の画素４（図５）を細線方向（Ｘ方向）に一列に配列してなる。そして、この磁性細線１は、複数本、本例で８本が細線方向と直交する直交方向（Ｙ方向）に配列されている。これにより、画素４を２次元マトリクス状に配列してなる画素アレイ４０（図５）を構成している。
【００１７】
画素アレイ４０では、画素駆動部３０（図６）により、８本の磁性細線１（１Ａ１，１Ｂ１，…，１Ａ４，１Ｂ４）において、画素４（図５）のそれぞれが、画像データのうち当該画素４に入力された画素データに基づき異なる２つの磁化方向の何れかにされる。すなわち、３Ｄ動画を表示するための右目用画像データの１フレーム分と、左目用画像データの１フレーム分に基づき、画素４（図５）のそれぞれが異なる２つの磁化方向の何れかにされる。
【００１８】
本実施形態の空間光変調器１０は、詳細を後述するとおり、画像の３Ｄ表示に対応している。そこで、磁性細線１Ａ１，１Ａ２，１Ａ３，１Ａ４は、３Ｄ表示の右目用の画像データ（の各フレームの表示）に対応し、磁性細線１Ｂ１，１Ｂ２，１Ｂ３，１Ｂ４は、左目用の画像データ（の各フレームの表示）に対応している。そして、各磁性細線１は、その配列方向に右目用画像（の１フレーム）と、左目用画像（の１フレーム）とが、ラインごとに交互になるように各フレームの各ラインが対応している。すなわち、磁性細線１Ａ１，１Ａ２，１Ａ３，１Ａ４が、右目用画像の１フレームの第１ライン、第２ライン、第３ライン、第４ラインにそれぞれ対応している。また、磁性細線１Ｂ１，１Ｂ２，１Ｂ３，１Ｂ４が、左目用画像の１フレームの第１ライン、第２ライン、第３ライン、第４ラインにそれぞれ対応している。そして、各磁性細線１は図３のＹ方向の上から下に向けて、磁性細線１Ａ１，１Ｂ１，１Ａ２，１Ｂ２，１Ａ３，１Ｂ３，１Ａ４，１Ｂ４の順に配列されている。
なお、本実施形態では、説明の便宜上、磁性細線１を８本として説明する。しかし、実際には、例えば、スーパーハイビジョン（登録商標）の画像を表示する場合は１フレームの画像表示に約４０００本の磁性細線１が必要となるので、２フレーム分で約８０００本の磁性細線１を要する。
【００１９】
図１、図２に示すように、遮光装置１１０は、遮光板１１１、ピエゾ素子１１４、駆動電源１２２を備えている。
遮光板１１１は、図１に示すように、光変調部２０上に設けられている。遮光板１１１には、図１、図２に示すように、長さ方向をＸ方向、幅方向をＹ方向とする４本のスリット１１５が開口している。また、隣接するスリット１１５同士の間の部分は遮光部１１６をなしている。隣接するスリット１１５同士の間隔は、間に１本の磁性細線１を挟んで隣り合う２本の磁性細線１の間隔である。
遮光板駆動部となるピエゾ素子１１４は、遮光板１１１に設けられている。ピエゾ素子１１４は、遮光板１１１をＹ方向に連続的に往復動させる。遮光板１１１はピエゾ素子１１４により駆動されることにより、１つのフレームに対応した磁性細線１からスリット１１５を介して光を出射させ、他のフレームに対応した磁性細線１を遮光部１１６により遮光する。
交流の駆動電源１２２は、ピエゾ素子１１４を前記のように駆動する交流電力をピエゾ素子１１４に供給する。
【００２０】
遮光装置１１０において、遮光板１１１が図２でＹ方向の上方に移動したときは、各スリット１１５が右目用画像のフレームに対応する磁性細線１Ａ１，１Ａ２，１Ａ３，１Ａ４上で開口して磁性細線１Ａ１，１Ａ２，１Ａ３，１Ａ４からの光を出射させる。また、左目用画像のフレームに対応する磁性細線１Ｂ１，１Ｂ２，１Ｂ３，１Ｂ４は遮光部１１６で遮光する。逆に、遮光板１１１が図２でＹ方向の下方に移動したときは、各スリット１１５が左目用画像のフレームに対応する磁性細線１Ｂ１，１Ｂ２，１Ｂ３，１Ｂ４上で開口して磁性細線１Ｂ１，１Ｂ２，１Ｂ３，１Ｂ４からの光を出射させる。また、右目用画像のフレームに対応する磁性細線１Ａ１，１Ａ２，１Ａ３，１Ａ４は遮光部１１６で遮光する。
このように遮光装置１１０は、右目用画像の１フレームと、左目用画像の１フレームとを順次表示するように、磁性細線１の磁化方向の変化に基づく画像表示を２段階に切り替える。
【００２１】
図６に示す空間光変調器１０の画素駆動部３０（図６）は、右目用画像データが１フレーム、左目用画像データが１フレームの合計２個のフレームの画像データに基づき、画素アレイ４０の画素のそれぞれを異なる２つの磁化方向の何れかにする機能を有する。
さらに具体的には、画素駆動部３０は、各磁性細線１の両端に接続されて当該磁性細線１へ走査電流源８（図３、図４）によってパルス電流を供給する電流供給部となる走査電流供給部８０（図６参照）を備えている。また、画素駆動部３０は、それぞれの磁性細線１について当該磁性細線１の限定された領域（書込領域１ｗ（図３））における磁化方向を異なる２方向の何れか（所定の一方向及びその反対方向の異なる２方向）のいずれかにする書込部となるデータ書込部５０を備えている。空間光変調器１０は、図６に示すように、走査電流供給部８０及びデータ書込部５０の動作を制御する制御部となる書込・電流制御部９０をさらに備えている。その上、書込・電流制御部９０の画素列データ生成部９９は、画像データ受信部となる画像データ受信部９９１（図７）を備えている。
空間光変調器１０の概要は以上のとおりである。以下では、空間光変調器１０の各部の詳細な構成や動作について順次説明する。
【００２２】
（画素アレイ）
図５に示すように、画素アレイ４０は、磁性膜を細線状に形成してなり、複数（８個）の画素４を細線方向に一列に配列している、複数（８本）の磁性細線１を備えている。この８本の磁性細線１は、細線方向と直交する方向に基板２上に配列されている。
図３に示すように、８本の磁性細線１は、１列おきの磁性細線１ごとにグループ化されている。すなわち、Ｙ方向の上から奇数番目の４本の磁性細線１（１Ａ１〜１Ａ４）が属するグループＡと、Ｙ方向の上から偶数番目の４本の磁性細線１（１Ｂ１〜１Ｂ４）が属するグループＢとである。
【００２３】
図４、図５に示すように、磁性細線１は、細線方向に所定の単位長さＬbで区切られた領域を１つの画素４として、一列（一行）に配列された８個の画素４を細線方向に連続して備え、この画素４毎に前記いずれかの磁化方向を示す。すなわち磁性細線１は、磁区が細線方向に分割されて形成されている。また、磁性細線１において、すべての（図４、図５に示す例では８個の）画素４が設けられた領域を画素領域１ｐｘと称する。そして、光変調部２０は、図４、図５に示す例で磁性細線１を８本備えるので、８列×８行の６４個の２次元マトリクス状に配列された画素４（画素アレイ４０）を備えていることになる。本例では、光変調部２０（画素アレイ４０）は行方向（Ｘ方向）を磁性細線１の細線方向としている例を示している。また、本実施形態で、画素４とは、明／暗の２値（１ビット）で画像を表示する手段を指す。
【００２４】
磁性細線１は、磁性体を厚さ及び幅に対して十分に長い細線状に形成してなる。図５に示すように、光変調部２０において、磁性細線１，１，…は、図１におけるＺ方向下向きで見て絶縁層６を挟んで互いに平行に、基板２上に形成されている。前記した通り、磁性細線１は画素４となる領域を含んでおり、図５に示す例で８個の画素４が細線方向に連続して設けられた画素領域１ｐｘが光変調を行う部分である。画素領域１ｐｘは磁性細線１における光の入射領域であり、画素領域１ｐｘに入射した光が磁性細線１を透過又は反射して出射すると、画素４毎に当該画素４における磁化方向に対応して異なる２つの角度のいずれかで旋光した光に変調される。また、磁性細線１は、画素領域１ｐｘの外（図５では画素領域１ｐｘのＸ方向の左側）の細線方向に区切られた領域に、書込領域１ｗが設けられている。書込領域１ｗは、データ書込部５０により、磁性細線１に設けられた目的の画素４の１つと同じ磁化方向に変化させる領域である。磁性細線１では、目的の画素４の上向き又は下向きの磁化方向と同じ磁化方向の磁区を書込領域１ｗに形成し、この磁区が細線方向に移動されて画素領域１ｐｘの目的の画素４に到達することで当該画素４が目的の磁化方向となる。本実施形態において、このような動作（画素の駆動）は、図５に示すように並列した複数の磁性細線１のそれぞれにおいて並行して実行される。
【００２５】
書込領域１ｗは、磁性細線１をこの領域に限定して当該磁性細線１に設けた各画素４と同じ磁化方向に変化させるために設定された細線方向に区切られた領域である。したがって、少なくともこの領域においては、磁性細線１を、上向き又は下向きの目的の磁化方向に変化させる（適宜、「書込」をする、という）ことを可能にするため、書込方式に対応した構造とする。
本実施形態においては、書込方式としてスピン注入磁化反転方式を適用している。書込領域１ｗにスピン注入磁化反転素子構造を形成することで、磁性細線１をスピン注入磁化反転にて目的の磁化方向にすることができる（詳細については、前述の特許文献１を参照）。
なお、スピン注入磁化反転方式以外にも、公知のハードディスクドライブ装置に用いられている磁気ヘッドや、コイル等を用いて電流磁界により磁性細線１を目的の磁化方向にするようにしてもよい。
【００２６】
（走査電流供給部（電流供給部））
図６に示すとおり、画素駆動部３０は、画素アレイ４０の画素４のそれぞれを画像データのうち、当該画素４に入力された画素データに基づき異なる２つの磁化方向の何れかにする機能を有する。
そして、画素駆動部３０は、電流供給部となる走査電流供給部８０と、書込部となるデータ書込部５０と、制御部となる書込・電流制御部９０とを備えている。さらに、書込・電流制御部９０の画素列データ生成部９９は画像データ受信部となる画像データ受信部９９１を備えている（図７）。
まず、電流供給部となる走査電流供給部８０は、磁性細線１のそれぞれに、当該磁性細線１に形成された磁区を区切る磁壁を細線方向に断続的に移動させるパルス電流である走査電流Ｉscを供給する機能を有する。
図５に示すように、正電極３１及び負電極３２は、一対の電極として磁性細線１にその細線方向の一方向に電流を供給するための端子であり、磁性細線１の両端に接続される。
【００２７】
走査電流供給部８０（図６）は、図３、図４に示すように、光変調部２０の各磁性細線１の両端に正電極３１、負電極３２（図５参照）を介して接続した走査電流源８をパルス電流源として備えている。また、直流電流（走査電流Ｉsc（図６））をパルス電流として、磁性細線１に正電極３１から負電極３２へ、すなわち細線方向の一方向に供給する。磁性細線１に走査電流Ｉscを正電極３１側から負電極３２側へ供給されると、その反対方向に磁性細線１中を流れる電子ｅ-により、磁壁が磁性細線１中を当該磁性細線１の負電極３２側から正電極３１側へ細線方向に沿って移動する。これにより、磁壁に区切られた磁区も共に移動する。したがって、磁性細線１の書込領域１ｗで形成された磁区は、細線方向に沿って画素領域１ｐｘへ移動する。さらに、走査電流Ｉscをパルス電流として供給することにより、磁区が磁性細線１中を断続的に移動（シフト移動）するため、画素４の１個単位で移動して、画素領域１ｐｘにおける目的の画素４に到達させることができる。
走査電流供給部８０は、図３、図４に示すように、走査電流源８に光変調部２０の８本すべての磁性細線１をそれぞれの両端で例えば並列に接続して、共通のパルス電流を同時に供給する。
【００２８】
（データ書込部（書込部））
書込部となるデータ書込部５０は、磁性細線１を、前述のように予め指定された位置に設けられた書込領域１ｗにおいて所定の磁化方向にする機能を有する。
データ書込部５０は、図４、図６に示すように、光変調部２０の磁性細線１毎に設けられ、当該磁性細線１を書込領域１ｗにおいて目的の磁化方向にする。図６に示すように、データ書込部５０は、磁性細線１の書込領域１ｗに設けた図示しない電極に接続する書込電流源５を備える。書込電流源５は、書込領域１ｗのスピン注入磁化反転素子構造に、直流の電流Ｉwを正負反転させて書込電流＋Ｉw又は−Ｉwとして供給可能である。そして、データ書込部５０が書込・電流制御部９０に制御されることで電流Ｉwをいずれか目的の向きで供給する。すなわち、書込電流源５は、電流供給停止（ＯＦＦ状態）状態を含めると＋Ｉw，０，−Ｉwの３出力を示す。
図６に示すように、データ書込部５０も、磁性細線１が磁性細線１Ａ１〜１Ａ４のグループＡと、磁性細線１Ｂ１〜１Ｂ４のグループＢとにグループ分けされている。すなわち、データ書込部５０Ａ１〜５０Ａ４のグループＡと、データ書込部５０Ｂ１〜５０Ｂ４のグループＢとにグループ分けされている。
【００２９】
（書込・電流制御部（制御部））
制御部となる書込・電流制御部９０は、磁性細線１に供給される走査電流供給部８０（走査電流源８）からのパルス電流における電流停止時に次のように制御する。すなわち、書込・電流制御部９０は、データ書込部５０を制御して磁性細線１を書込領域１ｗにおいて、画素列データ生成部９９で分割後の画像データ（後述する）のうち所定の画素４に対して入力された画素データに基づく磁化方向にする。これとともに、書込・電流制御部９０は、走査電流供給部８０を制御して書込領域１ｗに形成された磁区を所定の画素４に到達させるようにする。
図６に示すように、書込・電流制御部９０は、外部から入力された画像データを１ライン分のデータに分割して画素列データを生成する画素列データ生成部９９を備える。また、書込・電流制御部９０は、データ書込部５０に磁性細線１への画素列データの書込をさせる画素列制御部９，９，…と、カウンタＴＣＮＴとを備える。したがって、画素列制御部９は、画素アレイ４０の行数すなわち磁性細線１の本数と同数の８つが設けられ、それぞれが特定の磁性細線１に書込をするデータ書込部５０を制御する。
【００３０】
画素列データ生成部９９の詳細な構成については後述する。
画素列制御部９は、データ書込部５０Ａ１〜５０Ａ４のグループＡと、データ書込部５０Ｂ１〜５０Ｂ４のグループＢとに対応して、画素列制御部９Ａ１〜９Ａ４のグループＡと、画素列制御部９Ｂ１〜９Ｂ４のグループＢとにグループ分けされている。
また、書込・電流制御部９０はカウンタＴＣＮＴをさらに備えることで、画素列制御部９は、磁性細線１に走査電流供給部８０（の走査電流源８）が供給するパルス電流に同期するように、データ書込部５０を制御する。すなわち、詳細は後述するが、書込・電流制御部９０は走査電流源８からのパルス電流の供給停止時に、データ書込部５０を制御して磁性細線１を書込領域１ｗにおいて所定の画素のデータに基づく磁化方向にする。これにより、書込・電流制御部９０は走査電流供給部８０からのパルス電流の供給停止時に、データ書込部５０を制御して磁性細線１を書込領域１ｗにおいて所定の磁化方向にする。それとともに、書込・電流制御部９０は走査電流供給部８０を制御して書込領域１ｗに形成された磁区を所定の画素４に到達させる。その他、書込・電流制御部９０の詳細な動作は、図１４を参照して後述する。
【００３１】
（画素列データ生成部（画像データ受信部、分割部）
図７に示すように、画素列データ生成部９９は、画像データ受信部９９１、及びライン分割部９９２Ａ，９９２Ｂを備えている。
画像データ受信部９９１は、右目用の画像データと左目用の画像データとをそれぞれ受信する。すなわち、本実施形態では、動画を画像表示装置２００で３Ｄ表示するため、データベースＤＢ（図６）等、外部から入力する３Ｄ表示用の画像データとして、３Ｄ表示のための右目用画像データと、左目用画像データとを画像データ受信部９９１で受信する。すなわち、画像データ受信部９９１は、右目用画像データ受信部９９１Ａと、左目用画像データ受信部９９１Ｂとを備えている。そして、３Ｄ表示のための右目用画像データは右目用画像データ受信部９９１Ａで受信し、左目用画像データは左目用画像データ受信部９９１Ｂで受信する。
【００３２】
前記のとおり、右目用の画像データと左目用の画像データとは、右目用画像データ受信部９９１Ａ、左目用画像データ受信部９９１Ｂでそれぞれ受信する。ライン分割部９９２Ａ，９９２Ｂは、右目用と左目用の画像データが、磁性細線１の細線方向と直交する直交方向（Ｙ方向）に交互に配されるよう、当該画像データを磁性細線１に割り振るように分割する。
すなわち、ライン分割部９９２Ａは、右目用画像データ受信部９９１Ａで受信した右目用画像データをラインごとの画像データに分割し、それぞれのラインの画像データを画素列制御部９Ａ１〜９Ａ４に出力する。そして、データ書込部５０Ａ１〜５０Ａ４により、それぞれ各ラインの画像データを磁性細線１Ａ１〜１Ａ４に書込可能とする。同様に、ライン分割部９９２Ｂは、左目用画像データ受信部９９１Ｂで受信した左目用画像データをラインごとの画像データに分割し、それぞれのラインの画像データを画素列制御部９Ｂ１〜９Ｂ４に出力する。そして、データ書込部５０Ｂ１〜５０Ｂ４によりそれぞれ各ラインの画像データを磁性細線１Ｂ１〜１Ｂ４に書込可能とする。これにより、画素アレイ４０の各磁性細線１に１列おきに交互に右目用画像データ、左目用画像データとなるように同時に書込することができる。
【００３３】
なお、以下では、前述のデータ書込部５０による書込、そして、走査電流源８による磁区及び磁壁のシフト移動を繰り返して各磁性細線１の全ての画素４に対して画像を記録することを、単に「１回の記録」と表現することがある。すなわち、各磁性細線１の全ての画素４を画像データに応じた前述の所定の磁化方向にすることを、１回の記録という。
【００３４】
（遮光装置）
遮光装置１１０は、１列おきに各列の磁性細線１の画素４から出射する光を透過し、他の磁性細線１から出射する光は遮光する機能を有する。
本例の遮光装置１１０は、図１、図２に示すように、遮光板１１１、ピエゾ素子１１４、駆動電源１２２、弾性部材１１２、支持部材１１３から構成されている。
すなわち、図２に示すように、この遮光装置１１０は、遮光板１１１と、この遮光板１１１の周囲を囲うように設けられ、遮光板１１１を複数個の弾性部材１１２で弾性的に支持するフレーム状の支持部材１１３とを備えている。
図１に示すように、この遮光装置１１０は、遮光板１１１が光変調部２０の画素アレイ４０上を覆うように設けられる。具体的には、本例では、遮光装置１１０は、画素アレイ４０上に設けられ、磁性細線１の配列方向に複数本、本例で４本のスリット１１５が形成されている遮光板１１１を備えている。
遮光板１１１の例えば下部には遮光板１１１を駆動するピエゾ素子１１４が設けられている。
【００３５】
前記のとおり、全ての磁性細線１Ａ１，…，１Ａ４，１Ｂ１，…，１Ｂ４で同時に１回の記録が終了すると、右目用画像データ、左目用画像データが画素アレイ４０（図５）に書込まれた状態となる。
しかし、このままで光変調部２０にレーザー光を照射すると、右目用画像、左目用画像が混在した明暗像が出力されてしまう。そこで、図１、図２に示す遮光装置１１０を用いて、最初に右目用画像データの画像を表示し、次に左目用画像データの画像を表示できるようにしている。
【００３６】
図２に示すように、この遮光装置１１０は、遮光板１１１と、この遮光板１１１の周囲を囲うように設けられ、遮光板１１１を複数個の弾性部材１１２で弾性的に支持するフレーム状の支持部材１１３とを備えている。図１、図５に示すように、この遮光装置１１０は、遮光板１１１が光変調部２０の画素アレイ４０上を覆うように設けられる。遮光板１１１の例えば下部には遮光板１１１を駆動する遮光板駆動部となるピエゾ素子１１４が設けられている。
次に、遮光板１１１、ピエゾ素子１１４、画像表示制御部２１０（図９）について詳細に説明する。
【００３７】
（遮光板）
遮光板１１１は、画素アレイ４０上に設けられ、磁性細線１の配列方向に複数本のスリット１１５が形成されている部材である。
より具体的には、遮光板１１１は、磁性細線１に対応して複数本のスリット１１５と、遮光部１１６とが、形成されている。前述のとおり、例えば、スーパーハイビジョン（登録商標）の画像を表示するためには、約８０００本の磁性細線１が必要である。このような多数の磁性細線１に対応できるように、このような遮光板１１１、特に微細なスリット１１５及び遮光部１１６を形成するためには、例えばＭＥＭＳ（Micro Electro Mechanical Systems）技術を用いることができる。
【００３８】
（ピエゾ素子（遮光板駆動部））
遮光板駆動部となるピエゾ素子１１４は、遮光板１１１を磁性細線１の配列方向（Ｙ方向）に往復移動させる機能を有する。
遮光板駆動部となるピエゾ素子１１４には２つの電極１２１，１２１が設けられ、これに交流の駆動電源１２２が接続されている。ピエゾ素子１１４が駆動電源１２２の交流電圧で駆動されると、ピエゾ素子１１４は振動し、当該振動により、遮光板１１１が磁性細線１の配列方向（Ｙ方向）に往復運動する。ピエゾ素子１１４の駆動により遮光板１１１が図１０においてＹ方向上側に移動するときは、右目用画像データの画像を表示するグループＡの全ての磁性細線１Ａ１，…，１Ａ４に対してスリット１１５が開口して光を出射する。また、偶数グループＢの全ての磁性細線１Ｂ１，…，１Ｂ４は遮光部１１６により遮光される。逆に、ピエゾ素子１１４の駆動により遮光部１１６が図１０においてＹ方向下側に移動するときは、左目用画像データの画像を表示するグループＢの全ての磁性細線１Ｂ１，…，１Ｂ４に対してスリット１１５が開口して光を出射する。また、奇数グループＡの全ての磁性細線１Ａ１，…，１Ａ４は遮光部１１６により遮光される。
このように、ピエゾ素子１１４で遮光板１１１を駆動することにより、まずグループＡの磁性細線１により右目用画像データの画像を表示し、次に、グループＢの磁性細線１により左目用画像データの画像を表示することが可能となる。
【００３９】
（画像表示制御部（切替部））
図９に示すように、切替部となる画像表示制御部２１０、駆動回路２２０は、１列おきに各列の磁性細線１から光を順次出射せるように遮光装置１００を２段階に切り替える機能を有する。これにより、右目用画像、左目用画像をフレームごとに順次表示するように遮光装置１１０を２段階に切替える。具体的には、ピエゾ素子１１４を駆動して、遮光板１１１をＹ方向に２段階に駆動する。
【００４０】
（３Ｄ画像用メガネ）
図８を参照して後述する画像表示装置２００では、動画の３Ｄ表示を可能とするため、３Ｄ画像用メガネ２３０（図９）を用いる。この３Ｄ画像用メガネ２３０は、例えばシャッター方式のメガネであり、右目側と左目側が駆動信号により個別にシャッター開閉する構成である。すなわち、右目用の画像を右目で見るときは、３Ｄ画像用メガネ２３０右目側のシャッターを開き、左目側のシャッターを閉じる。また、左目用の画像を左目で見るときは、３Ｄ画像用メガネ２３０の左目側のシャッターを開き、右目側のシャッターを閉じる。このようなシャッター方式の３Ｄ画像用メガネ２３０のさらに具体的な構造は公知であるため、詳細な説明は省略する。
【００４１】
（画像表示装置）
次に、図８を参照して、本実施形態に係る空間光変調器１０を適用した画像表示装置２００にて説明する。画像表示装置２００は、空間光変調器１０と、偏光子ＰＦｉ，ＰＦｏと、光学系ＯＰＳと、検出器ＰＤ、ハーフミラーＨＭとを備えている。
本実施形態に係る画像表示装置２００において、空間光変調器１０は反射型であり、また、その光変調部２０となる磁性細線１が垂直磁気異方性材料からなり磁化方向が上向き又は下向きを示すため、画像表示装置２００は例えば以下の構成となる。
すなわち、空間光変調器１０の画素アレイ４０（図５）の直上には、画素アレイ４０に向けて光（レーザー光）を照射する光源等を備える光学系ＯＰＳが配置される。また、光学系ＯＰＳから照射された光を画素アレイ４０に入射する前に１つの特定の偏光成分の光にする偏光子ＰＦｉが配置される。さらに、当該偏光子ＰＦｉを透過して画素アレイ４０に入射する偏光（入射偏光）を透過させ、かつ画素アレイ４０で反射して出射した光を図８でＸ方向の右側の方へ反射するハーフミラーＨＭが配置される。そして、画素アレイ４０の上方（Ｙ方向の上方）の前記ハーフミラーＨＭの右側方には、ハーフミラーＨＭで反射して到達した光から特定の偏光成分の光を遮光する偏光子ＰＦｏと、偏光子ＰＦｏを透過した光を検出する検出器ＰＤとが配置される。
【００４２】
光学系ＯＰＳは、例えばレーザー光源、及びこれに光学的に接続されてレーザー光を画素アレイ４０の全面に照射する大きさに拡大するビーム拡大器、さらに拡大されたレーザー光を平行光にするレンズで構成される（図示省略）。光学系ＯＰＳから照射された光（レーザー光）は様々な偏光成分を含んでいるため、この光を画素アレイ４０の手前の偏光子ＰＦｉを透過させて、１つの偏光成分の光（偏光）にする。偏光子ＰＦｉ，ＰＦｏはそれぞれ偏光板等であり、検出器ＰＤはスクリーン等の画像表示手段である。
【００４３】
光学系ＯＰＳは、平行光としたレーザー光を、画素アレイ４０へ膜面に垂直に（入射角０°で）入射するように照射する。レーザー光は偏光子ＰＦｉを透過して偏光（入射偏光）となり、ハーフミラーＨＭを透過して画素アレイ４０の上方からすべての画素４、すなわち磁性細線１に向けて入射する。入射偏光は、磁性細線１で反射して、画素アレイ４０から出射偏光として出射する。入射角０°であることから、出射偏光は入射偏光と同一の光路となる。そこで、偏光子ＰＦｉと画素アレイ４０との間に画素アレイ４０に対して４５°傾斜させたハーフミラーＨＭを配置して、出射偏光を側方（Ｘ方向の右側）へ反射させることで、出射偏光だけを偏光子ＰＦｏに到達させる。偏光子ＰＦｏはすべての出射偏光のうちの特定の偏光を遮光し、偏光子ＰＦｏを透過した光が検出器ＰＤに入射する。なお、入射偏光を傾斜させて画素アレイ４０に入射し（入射角＞０°）、出射偏光と光路が重複しないようにして、ハーフミラーＨＭを配置しない構成としてもよい。ただし、入射方向が磁化方向に平行に近いほど磁気光学効果が高いので、入射角は３０°程度以内とすることが好ましい。
【００４４】
光は、磁性細線１で反射したときに、その偏光の向きが、磁気光学効果により、当該磁性細線１の光が入射した領域における磁化方向に対応して一方向及びその反対方向に同じ角度で回転する（旋光する）。図８においては、光は磁性細線１で反射したときのカー効果により角度θkで旋光し、上向きの磁化方向を示す領域で反射した光は＋θk、下向きの磁化方向を示す領域で反射した光は−θk旋光する。偏光子ＰＦｏは、入射偏光に対して−θk旋光した光を遮光するものとする。そのため、下向きの磁化方向の領域（磁区）で反射した出射偏光は、偏光子ＰＦｏで遮光され、一方、上向きの磁化方向の磁区で反射した出射偏光は、偏光子ＰＦｏを透過して検出部ＰＤに照射される。したがって、１本の磁性細線１から出射した光は、当該磁性細線１に形成された磁区毎に明暗（白黒）に切り分けられたパターンとなって検出部ＰＤへ表示される。したがって、１本の磁性細線１において、その細線方向に区切られた画素４毎に上向き又は下向きのいずれか目的の磁化方向として、磁区を形成することで、画素４毎に明／暗（白／黒）を切り分けられた画像を表示することができる。
【００４５】
図９は、画像表示装置２００で画像を表示するための制御系の電気的な接続を示すブロック図である。この制御系では、画像表示装置２００の画像表示を制御する切替部、同期信号出力部となる画像表示制御部２１０を備えている。画像表示制御部２１０には、画素駆動部３０と、前述の駆動電源１２２を備えた、ピエゾ素子１１４の駆動回路２２０と、光学系ＯＰＳを点灯駆動する点灯回路２４０と、３Ｄ画像用メガネ２３０を駆動する駆動回路２５０とが接続されている。
切換部となる画像表示制御部２１０は、右目用画像の１フレームと左目用画像の１フレームとを、この順に順次表示するように遮光装置１１０を２段階に切り替える機能を有する。具体的には、ピエゾ素子１１４を駆動して、遮光板１１１をＹ方向に２段階に駆動する等、各部のタイミング制御を行う。
また、画像表示制御部２１０は、同期信号出力部となる。すなわち、画像表示制御部２１０は、前述のように遮光板１１１をＹ方向に２段階切り替えのタイミングに合わせて、３Ｄ画像用メガネ２３０の右目側、左目側のシャッターを駆動するための同期信号を駆動回路２５０により出力する。
画像表示制御部２１０は、画像表示制御部２１０、ピエゾ素子１１４、光学系ＯＰＳ、３Ｄ画像用メガネ２３０の互いの同期をとるようなタイミング制御を行う。
【００４６】
[空間光変調器、画像表示装置の動作]
以上のような構成の空間光変調器１０、画像表示装置２００の動作について説明する。
（画像表示制御部の処理）
画像表示制御部２１０が行う処理は、図１０のとおりである。まず、画素駆動部３０（図６）の書込・電流制御部９０で、外部のデータベースＤＢ等に動画の画像データ（右目用、左目用画像データ）を要求する（Ｓ１００）。そして、これを右目用画像データ受信部９９１Ａ、左目用画像データ受信部９９１Ｂで受信する（ステップＳ１１０）。次に、グループＡの全ての磁性細線１Ａ１，…，１Ａ４に右目用画像データの１画面（１フレーム）分の画像の１回の記録を行う（ステップＳ１２０）。これは、図７に示すライン分割部９９２Ａ，９９２Ｂ、画素列制御部９（９Ａ１，９Ｂ１，…，９Ａ４，９Ｂ４）、データ書込部５０（５０Ａ１，５０Ｂ１，…，５０Ａ４，５０Ｂ４）により行う。また、ステップＳ１２０と同時並行的に偶数グループＢの全ての磁性細線１Ｂ１，…，１Ｂ４に左目用画像データの１画面（１フレーム）分の画像の１回の記録を行う（ステップＳ１３０）。
この場合のステップＳ１２０，Ｓ１３０は同時並行して実行され、そのそれぞれのステップで実行する具体的な処理内容（サブルーチン）については、後述する。並行して同時に実行されるステップＳ１２０，Ｓ１３０により、各磁性細線１に対して、右目用画像データ、左目用画像データの各１フレーム分の画像データの１回の記録が完了する。
【００４７】
この後、右目用画像データの１回の記録がなされているグループＡの各磁性細線１Ａ１，…，１Ａ４で右目用画像を表示する（ステップＳ１４０）。この画像表示は、図９の画像表示制御部２１０が駆動回路２２０の駆動電源１２２を制御して、ピエゾ素子１１４を駆動することで行う。すなわち、遮光板１１１を図２においてＹ方向上側に移動することでグループＡの各磁性細線１Ａ１，…，１Ａ４からスリット１１５を介して光を透過させることで行う。このときは、グループＢの全ての磁性細線１Ｂ１，…，１Ｂ４は遮光部１１６で遮蔽される。そして、グループＡの全ての磁性細線１Ａ１，…，１Ａ４に対してスリット１１５が開口しているときに、点灯回路２４０（図９）で光学系ＯＰＳを点灯して、右目用画像を検出器ＰＤに表示する（図８）。
【００４８】
また、このような遮光板１１１の移動に同期して３Ｄ画像用メガネ２３０（図９）を駆動するための同期信号を駆動回路２５０に出力する。すなわち、右目用画像を検出器ＰＤ（図５）に表示するタイミングで、３Ｄ画像用メガネ２３０の右目側のシャッターを開く同期信号Ａ（後述）をＯＮにして、右目側のシャッターを開く。このとき、３Ｄ画像用メガネ２３０の左目側のシャッターを開く同期信号Ｂ（後述）はＯＦＦのままとして、左目側のシャッターは閉じたままとする。
【００４９】
次に、図１０に示すように、左目用画像データの１回の記録がされている偶数グループＢの各磁性細線１で左目用画像を表示する（ステップＳ１５０）。この画像表示は、画像表示制御部２１０が駆動回路２２０の駆動電源１２２を制御して行う。すなわち、ピエゾ素子１１４を駆動し、遮光板１１１を図２においてＹ方向下側に移動することでグループＢの各磁性細線１Ｂ１，…，１Ｂ４からスリット１１５を介して光を透過させるようにすることで行う。このときは、グループＡの全ての磁性細線１Ａ１，…，１Ａ４は遮光部１１６で遮蔽される。そして、グループＢの全ての磁性細線１Ｂ１，…，１Ｂ４に対してスリット１１５が開口しているときに、点灯回路２４０で光学系ＯＰＳを点灯して、左目用画像を検出器ＰＤに表示する（図８）。
【００５０】
また、このような遮光板１１１の移動に同期して３Ｄ画像用メガネ２３０を駆動するための同期信号を駆動回路２５０に出力する。すなわち、左目用画像を検出器ＰＤに表示するタイミングで、３Ｄ画像用メガネ２３０の左目側のシャッターを開く同期信号Ｂ（後述）をＯＮにして、左目側のシャッターを開く。このとき、３Ｄ画像用メガネ２３０の右目側のシャッターを開く同期信号Ａ（後述）はＯＦＦのままとして、右目側のシャッターは閉じたままとする。
以上の処理を繰り返すことにより、ユーザは、右目画像の１番目のフレームを右目のみで見、次に、左目画像の１番目のフレームを左目のみで見ることができる。次に、右目画像の２番目のフレームを右目のみで見、次に、左画像の２番目のフレームを左目のみで見ることができる。そして、このようなことを連続して行うことができるので、動画を３Ｄ表示で見ることが可能となる。
【００５１】
次に、ステップＳ１２０，Ｓ１３０でそれぞれ実行する処理について具体的に説明する。本実施形態に係る空間光変調器１０における画素の駆動方法は、図４に示すように、走査電流源８に並列に接続された磁性細線１，１，…にパルス電流を供給して磁区を断続的にシフト移動させるものである。そして、当該シフト移動をしながら、それぞれの磁性細線１の書込領域１ｗへデータ書込部５０にて書込をするものである。
以下の空間光変調器１０における画素の駆動方法は、データベースＤＢに記憶されている画像データにつき、各１フレーム分の右目用、左目用画像データが、書込・電流制御部９０に入力されて、画素アレイ４０に１回の記録がされるまでの手順である。
【００５２】
（画像データ）
図１１（ｂ）、図１２（ｂ）は、それぞれ、前述の右目用画像データＦ１、左目用画像データＦ２の例を示している。図１１（ｂ）、図１２（ｂ）に示すように、画像データＦ１，Ｆ２は、いずれも、黒く表示する画素４を“１”に、白く表示する画素４を“０”に表したデータ（画素データ）を用いている。そして、これを、横（ライン方向）に８個並べて、４桁のデータからなる各ラインを識別する行アドレスを付した１２桁のデータを４ライン分並べている。このような画像データＦ１，Ｆ２は、一例として、オリジナルの画像（図示省略）を、空間光変調器１０の画素アレイ４０の構成に合わせて、水平方向Ｎh行×垂直方向Ｎv列（８行×４列）のビットマップデータの画像ｆ１，ｆ２（図１１（ａ）、図１２（ａ）参照）に変換する。そして、画素４の黒を“１”に、白を“０”に変換して並べて生成することができる。また、このような画像データ生成機能を空間光変調器１０に内蔵してもよい。
図１３は、この右目用、左目用画像データＦ１，Ｆ２に基づいて前述の１回の記録（ステップＳ１２０，Ｓ１３０）を行った状態を示している。図１３で黒く表示されている画素４が“１”の画素データに、その他の画素４が“０”の画素データに対応している。
【００５３】
（１回の記録の詳細）
画像データＦ１，Ｆ２に基づいた前述の１回の記録（ステップＳ１２０，Ｓ１３０）のサブルーチンは、ステップＳ１２０、ステップＳ１３０のいずれにおいても図１２のとおりである。
図１４に示すように、書込・電流制御部９０の画素列データ生成部９９（図６）は、右目用画像、左目用画像のフレームの画像データＦ１，Ｆ２の出力命令をデータベースＤＢに送信する（ステップＳ１０）。これにより、右目用画像、左目用画像のフレームの画像データＦ１，Ｆ２が、画像データ受信部９９１の右目用画像データ受信部９９１Ａ、左目用画像データ受信部９９１Ｂに入力される（ステップＳ２０のＹｅｓ）。そして、ライン分割部９９２Ａ，９９２Ｂにおいて、それぞれ画像データＦ１，Ｆ２を１ラインずつに分割し、各フレームでＮh（＝８）個のデータからなるＮv（＝４）本、合計で８本の画素列データを生成する（ステップＳ３１）。画素列データは１本ずつ、行アドレスに基づく画素列制御部９（９Ａ１〜９Ａ４，９Ｂ１〜９Ｂ４）へ分配、出力される（ステップＳ３２）。次に、書込・電流制御部９０は、走査電流供給部８０へ、磁性細線１へのパルス電流の供給を開始するように命令を送信して、走査電流供給部８０が走査電流源８をＯＮにしてパルス電流の供給を開始する（ステップＳ５０）。走査電流供給部８０は、さらにパルス電流と同じタイミングのパルス信号を書込・電流制御部９０に出力する。そして、書込・電流制御部９０は、画素４（磁性細線１）への画素列データの書込を開始する（ステップＳ６０）。
【００５４】
すなわち、各画素列制御部９には個別の画素列データが入力され（ステップＳ６１）、一方、走査電流供給部８０へのパルス電流の供給開始命令の送信に伴い、カウンタＴＣＮＴはカウントを１から開始する（ステップＳ６２）。そして、各画素列制御部９は、画素列データにおけるカウント値ｉと同じ１番目のデータを、対応するデータ書込部５０へ出力する。データ書込部５０は、２値のデータ“０”又は“１”が入力されると、磁性細線１の書込領域１ｗへの書込をする（ステップＳ６３）。次に、パルス電流における１回目のパルス幅の電流供給にて、磁性細線１において、形成されている磁区を単位長さＬbの距離（図５）だけシフト移動させる（ステップＳ６４）。本実施形態では、単位長さＬbの距離だけシフト移動させるために必要な電流供給時間（移動時間）を当該パルス幅とする。次にカウント値ｉを判定し（ステップＳ６５）、Ｎh（＝８）に到達するまでカウントを１ずつ増やしながら（ステップＳ６６）、データ書込（ステップＳ６３）と磁区のシフト移動（ステップＳ６４）とを繰り返す。
【００５５】
Ｎh（＝８）番目の画素データに基づく書込（ステップＳ６３）がされた後（ステップＳ６５のＹｅｓ）は、ステップＳ７０に進む。この時点で、磁性細線１において、最後のデータに基づく書込がされた領域は、書込領域１ｗを退出しているが、画素領域１ｐｘには到達していない（図５参照）。そこで、この領域が画素領域１ｐｘに到達するまで、さらにパルス電流の供給による磁区のシフト移動を行う（ステップＳ７０）。本実施形態では、例えば書込領域１ｗと画素領域１ｐｘとの間が単位長さＬbの２倍であるため、２回のパルス電流の供給を行う。最後に、走査電流供給部８０へパルス電流の供給を停止するように命令を送信して、走査電流供給部８０が走査電流源８をＯＦＦにしてパルス電流の供給を停止する（ステップＳ８０）。これにより、各磁性細線１は、画素列データのすべてのデータが単位長さＬbずつの領域で連続した書込をされて、さらにこの書込をされた領域がすべて画素領域１ｐｘに到達している。すなわち、１回の記録が完了する。
【００５６】
前述の処理においては、１回の磁区シフト移動（ステップＳ６４）における走査電流源８のよる走査電流Ｉsc（図６）の停止時（ＯＦＦ時）に、ｉ番目のデータ書込（ステップＳ６３）、すなわち、書込電流源５による書込電流＋Ｉw又は−Ｉw（図６）の出力による１画素分のデータの書込（スピン注入磁化反転）がデータ書込部５０で行われる。その他、光変調部２０の詳細な構造や動作、走査電流Ｉscと書込電流＋Ｉw又は−Ｉwとのタイミングの詳細については、前述の特許文献１において公知であるため、詳細な説明は省略する。
【００５７】
（各部の動作のタイミング）
図１０の処理による各部の動作のタイミングについて図１５を参照して説明する。図１５の各例では、画像の各フレームの表示に関する処理に割り当てる時間が例えば１６．７ｍｓであり、１フレーム分の画像データを磁性細線１に対して１回の記録を行うのに要する時間が例えば１００μｓである。
図１５（ａ）は、前述の図１０の処理を行った場合を示している。右目用画像の１フレーム分の画像と左目用画像の１フレーム分の画像とは、前記のとおり各磁性細線１に同時並行して１回の記録がされて、それに要する時間が１００μｓである。右目用画像の１フレーム分の画像と左目用画像の１フレーム分の画像に「１回の記録」を行って後、右目用画像の１フレーム分の画像を「表示」し、続いて左目用画像の１フレーム分の画像を「表示」する。このような処理を連続して行っている。
【００５８】
図１５（ｂ）は図１５（ａ）に対する別の例である。すなわち、図１５（ａ）の例では、右目用画像の１フレームの表示に関する処理に割り当てる１６．７ｍｓの時間の中で右目用画像、左目用画像の各１フレーム画像の１回の記録に時間を割いている。そして、左目用画像の１フレームの表示に関する処理に割り当てる１６．７ｍｓの時間は当該左目用画像の表示のみに当てている。よって、右目用画像の表示時間と左目用画像の表示時間が異なる。そこで、図１５（ｂ）の例では、図１５（ａ）の場合に比べて、左目用画像の表示に要する時間を延ばし、右目用画像の表示に要する時間を短縮して、右目用画像と左目用画像とで画像を表示するのに要する時間を均等にしている。
【００５９】
図１５（ｃ）は、図１５（ｂ）の場合における遮光板１１１の駆動のタイミング例を示している。図１５（ｃ）において、Ｈレベルは、遮光板１１１が図２においてＹ方向上側に移動して、各スリット１１５が磁性細線１Ａ１，…，１Ａ４に対して開口する位置にある状態を示している。Ｌレベルは、遮光板１１１が図２においてＹ方向下側に移動して、各スリット１１５が磁性細線１Ｂ１，…，１Ｂ４に対して開口する位置にある状態を示している。
このように、遮光板１１１により、右目用画像と左目用画像のフレームの表示時間を区分けすることができるので、後述のとおり、３Ｄ画像用メガネ２３０を使用すれば、ユーザが右目用画像を左目で見、左目用画像を右目で見ることを防止することができる。
【００６０】
また、図１５（ｄ）（ｅ）は、それぞれ前述した画像表示制御部２１０（図９）から３Ｄ画像用メガネ２３０の駆動回路２５０に出力する同期信号Ａ，Ｂのタイミングを示している。この同期信号Ａ，Ｂは、図１５（ｂ）の例に対応している。すなわち、図１５（ｂ）の例において、右目用画像の１フレーム分の画像を「表示」するタイミングに同期して同期信号ＡをＯＮにしている。これにより、３Ｄ画像用メガネ２３０の右目側のシャッターを開いて、ユーザが右目で右目用画像を見られるようにしている。この場合に、同期信号ＢはＯＦＦにして、３Ｄ画像用メガネ２３０の左目側のシャッターは閉じたままとし、ユーザが左目で右目用画像を見ることがないようにしている。
【００６１】
また、左目用画像の１フレーム分の画像を「表示」するタイミングに同期して同期信号ＢをＯＮにしている。これにより、３Ｄ画像用メガネ２３０の左目側のシャッターを開いて、ユーザが左目で左目用画像を見られるようにしている。この場合に、同期信号ＡはＯＦＦにして、３Ｄ画像用メガネ２３０の右目側のシャッターは閉じたままとし、ユーザが右目で左目用画像を見ることがないようにしている。
【００６２】
このように、図１５に示すようなタイミングで空間光変調器１０を駆動することにより、ユーザは、右目画像の１番目のフレームを右目のみで見、次に、左目画像の１番目のフレームを左目のみで見ることができる。その後、右目画像の２番目のフレームを右目のみで見、次に、左画像の２番目のフレームを左目のみで見ることができる。そして、ユーザは、このようなことを連続して行うことができ、動画を３Ｄ表示で見ることができる。
なお、図１５（ｄ）（ｅ）は、図１５（ｂ）に対応する同期信号Ａ，Ｂの例を示したが、図１５（ａ）に対応させてもよい。
このように、本実施形態の空間光変調器１０によれば、磁性細線１を用いて動画像を３Ｄ表示することができる空間光変調器を提供することができる。
また、前述した遮光板１１１の動作、駆動回路２５０への同期信号Ａ，Ｂの出力により、右目用画像は右目だけで見て、左目用画像は左目だけで見るようにすることができるので、右目用画像と左目用画像を混在させて両目で見ることを防止することができる。
【００６３】
さらに、遮光板１１１を駆動するアクチュエータとしては、ピエゾ素子１１４以外のものを用いてよい。しかし、ピエゾ素子１１４であれば、例えば数μｓ程度の極短時間で右目用画像と左目用画像の表示を切り替えられ、隣接し合う右目用の磁性細線１と左目用の磁性細線１との間の間隔分の距離の極僅かな位置移動にも対応できる。よって、ピエゾ素子１１４は、遮光板１１１を駆動するアクチュエータとして好適である。
なお、この遮光装置１１０も右目用画像と左目用画像を、選択的に一方を表示し、他方を遮蔽できる装置であれば様々な装置を適用することができる。
【００６４】
また、前記の例では、右目用画像と左目用画像の各１フレームの１回の記録は、図２のＸ方向左側から右側に磁区、磁壁のシフト移動を順次行うようにしていたが、右目用画像と左目用画像のうちの一方の画像の１回の記録はＸ方向の右側から左側に行うようにしてもよい。この場合は、右側から左側に磁区、磁壁のシフト移動を行う右目用画像又は左目用画像の各ラインの画像データを先入れ後出し回路等で並べ替えればよい。
さらに、前記の例では、３Ｄ画像用メガネ２３０は、シャッター方式のメガネを用い、同期信号Ａ，Ｂで画像表示装置２００側と３Ｄ画像用メガネ２３０との同期をとる例を説明した。
【００６５】
しかし、ユーザが３Ｄ画像を見るための３Ｄ画像用メガネ２３０の方式としては様々な方式のものを用いることができる。例えば、直線偏光フィルタ方式を用いることができる。これは、画像表示装置２００で右目用画像には水平偏光をかけ、左目用画像には直線偏光をかける。そして、３Ｄ画像用メガネ２３０の右目側には水平偏光を入れ、左目側には直線偏光を入れることで、３Ｄ画像用メガネ２３０の右目側では右目用画像のみが見え、左目側では左目用画像のみが見えるようにすることができる。
このような直線偏光フィルタ方式の３Ｄ画像用メガネ２３０を用いれば、遮光装置１１０や、同期信号Ａ，Ｂの出力を不要にすることができる。
【符号の説明】
【００６６】
１      磁性細線
１ｐｘ  画素領域
１ｗ    書込領域
４      画素
８      走査電流源（電流供給部）
１０    空間光変調器
３０    画素駆動部
４０    画素アレイ
５０    データ書込部（書込部）
９０    書込・電流制御部（制御部）
１１０  遮光装置
１１１  遮光板
１１４  ピエゾ素子（遮光板駆動部）
１１５  スリット
２００  画像表示制御部（切替部、同期信号出力部）
９９１  画像データ受信部
【図１】
2014240860.tif 000003
【図２】
2014240860.tif 000004
【図３】
2014240860.tif 000005
【図４】
2014240860.tif 000006
【図５】
2014240860.tif 000007
【図６】
2014240860.tif 000008
【図７】
2014240860.tif 000009
【図８】
2014240860.tif 000010
【図９】
2014240860.tif 000011
【図１０】
2014240860.tif 000012
【図１１】
2014240860.tif 000013
【図１２】
2014240860.tif 000014
【図１３】
2014240860.tif 000015
【図１４】
2014240860.tif 000016
【図１５】
2014240860.tif 000017